(57)【要約】【課題】メモリダイヤル機能を用いた場合でも着側の自動交換機能を利用できない場合にはＰＢ信号の送出を停止する。【解決手段】電話装置１において、記憶部１６に自動交換用電話番号６Ａ（第１の電話番号）と内線番号６Ｃ（第２の電話番号）とを予め記憶しておき、発信手段１７Ａにより自動交換用電話番号６Ａに対して電話回線１０から発信を行い、この発信から所定の待機期間が経過するまでの間に応答手段１７Ｂにより応答通知が検出された場合は、ボタン電話装置２との通話路を確立した後、ＰＢ信号送出部１３により当該通話路に内線番号６ＣをＰＢ信号で送出し、発信から所定の待機期間が経過するまでの間に応答手段１７Ｂにより応答通知が検出されなかった場合は、ＰＢ信号送出部１３による内線番号６ＣのＰＢ信号送出を中止する。【選択図】  図１
2008054000.tif 000002
【特許請求の範囲】
【請求項１】
第１の電話番号と第２の電話番号とを記憶する記憶手段と、
前記第１の電話番号に対して電話回線から発信を行う発信手段と、
前記発信後に当該電話回線からの応答通知を検出して相手電話装置との通話路を確立する応答手段と、
前記通話路へ任意の電話番号をＰＢ信号で送出するＰＢ信号送出手段と、
前記発信から所定の待機期間が経過するまでの間に前記応答手段により応答通知が検出された場合は、前記ＰＢ信号送出手段により前記第２の電話番号をＰＢ信号で送出し、前記待機期間が経過するまでの間に前記応答通知が検出されなかった場合は、前記ＰＢ信号送出手段による前記第２の電話番号のＰＢ信号送出を中止する自動応答制御手段と、
を備えることを特徴とする電話装置。
【請求項２】
請求項１に記載の電話装置において、
各種情報を表示する表示手段をさらに備え、
前記自動応答制御手段は、前記第２の電話番号のＰＢ信号送出を中止した場合、前記表示手段により当該中止を示す情報を表示する
ことを特徴とする電話装置。
【請求項３】
電話装置のコンピュータに、
第１の電話番号と第２の電話番号とを記憶手段で記憶する記憶ステップと、
発信手段により、前記記憶手段から読み出した前記第１の電話番号に対して電話回線から発信を行うステップと、
応答手段により、前記発信を行った後に当該電話回線からの応答通知を検出して相手電話装置との通話路を確立する応答ステップと、
自動応答制御手段により、前記発信から所定の待機期間が経過するまでの間に前記応答通知が検出された場合は、前記記憶手段から読み出した前記第２の電話番号をＰＢ信号送出手段によりＰＢ信号で前記通話路へ送出するＰＢ信号送出ステップと、
前記自動応答制御手段により、前記待機期間が経過するまでの間に前記応答通知が検出されなかった場合は、前記ＰＢ信号送出手段による前記第２の電話番号のＰＢ信号送出を中止するＰＢ送出中止ステップと
を実行させるプログラム。
【発明の詳細な説明】
【技術分野】
【０００１】
本発明は、電話制御技術に関し、特に着側電話装置の自動交換機能を利用する際に、電話装置から任意の電話番号を電話回線にダイヤル送出する際の制御技術に関する。
【背景技術】
【０００２】
従来より、ボタン電話装置の主装置や交換機などの電話制御装置に内線接続された内線電話端末を、当該電話制御装置の外部から電話網を介して呼び出す機能として、自動交換機能がある（例えば、特許文献１など参照）。
【０００３】
このような自動交換機能は、ＩＰ回線やＩＳＤＮ回線などのデジタル電話回線に接続されるボタン電話装置でも実現されている。
例えば、着側となるボタン電話装置のデジタル電話回線に割り当てられている複数の電話番号のいずれかを、自動交換用の電話番号として予め割り当てておく。そして、その電話番号への着信については、自動応答した後、発側電話装置から通話路を介して送信されたＰＢ信号（ＤＴＭＦ／Dual Tone Multi Frequency）を受信する。その後、当該ＰＢ信号で指定された内線番号の内線電話端末を呼び出し、当該内線電話端末での応答操作に応じて、当該内線電話端末と発側電話端末の通話路を接続するものとなっている。
【０００４】
また、デジタル電話回線では、発側電話装置の電話番号を着側へ容易に通知することが可能である。このため、このような機能を利用して、自動交換機能を利用可能な利用者を制限する機能もある。
例えば、着側となるボタン電話装置の主装置において、自動交換機能の利用を許可する発側電話番号を予め記憶部に登録しておく。そして、自動交換用の電話番号への着信があった場合は、その着信の際に通知された発側電話番号が自動交換機能の利用可能な電話番号かチェックする。ここで利用可能な場合にのみ、その着信に自動応答して自動交換機能を実行する。また、利用不可能な場合は通常着信と同様に、自動応答せずに内線回線を介して内線電話端末を呼び出し、当該内線電話端末での応答操作に応じて当該着信に応答すればよい。
【０００５】
このような自動交換機能を利用する場合、発側電話装置では、自動交換用の着側電話番号に加えて、内線電話番号もダイヤル送出する必要があり、そのためのダイヤル操作が煩雑となる。
ダイヤル操作において、多くの桁数を入力する必要がある場合、これらダイヤル番号を記憶部に予め登録しておき、簡単な操作でこれら一連のダイヤルを送出するメモリダイヤル機能を利用する場合が多い。
【０００６】
但し、自動交換機能では、自動交換用の着側電話番号のダイヤル送出から、相手電話装置が自動応答した後にＰＢ信号が受信可能となるまでに時間を要する。
このため、所定期間だけ内線番号のダイヤル送出の停止を指示するポーズデータような特殊なダイヤル情報を設け、自動交換用の着側電話番号と内線電話番号との間に挿入する方法がとられている。
【０００７】
【特許文献１】特開昭６０−１００８６２号公報
【発明の開示】
【発明が解決しようとする課題】
【０００８】
しかしながら、このような従来技術では、発側電話装置から、メモリダイヤル機能を用いて、自動交換機能の利用を前提とした自動交換用の一連のダイヤル送出して発信したにもかかわらず、その着信を着側ボタン電話装置が通常着信と判断して電話端末を呼び出した場合、その着信に電話端末で応答した利用者に対して、発側電話端末から通話路を介して送出されたＰＢ信号が、電話端末の受話器から送出されることになり、利用者に対して大きな不快感を与えるという問題点があった。
【０００９】
このような状況は、発側と着側との間における自動交換用の電話番号が一致しなくなった場合に発生する。例えば、自動交換用の電話番号が変更されたことを自動交換機能を利用する利用者が認識していない場合、このような状況は必ず発生する。
また、着側ボタン電話装置の主装置において、自動交換機能の利用を許可する電話番号を登録している場合には、その登録電話番号が一致しなくなった場合に発生する。例えば、自動交換機能を利用する利用者の発側電話番号が変更されたことが着側での登録に反映されていない場合、このような状況は必ず発生する。
【００１０】
このような状況において、着信側で応答した電話端末の受話器から送出されるＰＢ信号の信号送出電力は、一般的な通話音声に比較してかなり大きく、極めて大きな不快感となる。また、メモリダイヤル機能を用いて自動交換用のダイヤルを送出する場合、発側電話装置の受話器はミュートされるため、発側利用者は、このようなＰＢ信号が着側利用者へ送出されてしまっていることに気づかないケースが多い。
本発明はこのような課題を解決するためのものであり、メモリダイヤル機能を用いた場合でも着側の自動交換機能を利用できない場合にはＰＢ信号の送出を停止することができる電話装置およびプログラムを提供することを目的としている。
【課題を解決するための手段】
【００１１】
このような目的を達成するために、本発明にかかる電話装置は、第１の電話番号と第２の電話番号とを記憶する記憶手段と、第１の電話番号に対して電話回線から発信を行う発信手段と、発信後に当該電話回線からの応答通知を検出して相手電話装置との通話路を確立する応答手段と、通話路へ任意の電話番号をＰＢ信号で送出するＰＢ信号送出手段と、発信から所定の待機期間が経過するまでの間に応答手段により応答通知が検出された場合は、ＰＢ信号送出手段により第２の電話番号をＰＢ信号で送出し、待機期間が経過するまでの間に応答通知が検出されなかった場合は、ＰＢ信号送出手段による第２の電話番号のＰＢ信号送出を中止する自動応答制御手段とを備えている。
【００１２】
この際、各種情報を表示する表示手段をさらに備え、自動応答制御手段で、第２の電話番号のＰＢ信号送出を中止した場合、表示手段により当該中止を示す情報を表示するようにしてもよい。
【００１３】
本発明にかかるプログラムは、電話装置のコンピュータに、第１の電話番号と第２の電話番号とを記憶手段で記憶する記憶ステップと、発信手段により、記憶手段から読み出した第１の電話番号に対して電話回線から発信を行うステップと、応答手段により、発信を行った後に当該電話回線からの応答通知を検出して相手電話装置との通話路を確立する応答ステップと、自動応答制御手段により、発信から所定の待機期間が経過するまでの間に応答通知が検出された場合は、記憶手段から読み出した第２の電話番号をＰＢ信号送出手段によりＰＢ信号で通話路へ送出するＰＢ信号送出ステップと、自動応答制御手段により、待機期間が経過するまでの間に応答通知が検出されなかった場合は、ＰＢ信号送出手段による第２の電話番号のＰＢ信号送出を中止するＰＢ送出中止ステップとを実行させる。
【発明の効果】
【００１４】
本発明によれば、発側となる電話装置から電話網を介して着側となる電話装置の自動交換機能を利用する際、電話装置において、発信手段により、相手電話装置の自動交換用電話番号である第１の電話番号に対して電話回線から発信が行われ、この発信から所定の待機期間が経過するまでの間に応答手段により応答通知が検出された場合は、相手電話装置との通話路が確立された後、ＰＢ信号送出部により当該通話路に相手電話装置の内線番号である第２の電話番号がＰＢ信号で送出され、発信から所定の待機期間が経過するまでの間に応答手段により応答通知が検出されなかった場合は、ＰＢ信号送出部による内線番号のＰＢ信号送出が中止される。
【００１５】
したがって、発側電話装置から、メモリダイヤル機能を用い、自動交換機能の利用を前提とした自動交換用の一連のダイヤル送出して発信したにもかかわらず、その着信を着側ボタン電話装置が通常着信と判断して電話端末を呼び出した場合には、その着信に電話端末で応答した相手利用者に対して内線番号を示すＰＢ信号送出が中止されるため、利用者に対して不快感を与えることなく、スムーズに相手利用者との通話へ移行することができる。
【発明を実施するための最良の形態】
【００１６】
次に、本発明の実施の形態について図面を参照して説明する。
［第１の実施の形態］
まず、図１を参照して、本発明の第１の実施の形態にかかる電話装置について説明する。図１は、本発明の第１の実施の形態にかかる電話装置の構成を示すブロック図である。
この電話装置１は、電話網５からの電話回線１０に接続されて、電話網５を介して任意の相手電話装置を呼び出して通話を行う機能や、電話網５から着信に応答して相手電話装置と通話を行う機能を有している。
【００１７】
ボタン電話装置２は、電話網５からの電話回線１０に接続されている主装置２１と、この主装置２１に内線回線２３を介して収容されている複数の内線電話端末２２とからなり、公知のボタン電話装置が持つ一般的な電話交換機能を有している。特に、ボタン電話装置２は、自動交換機能として、電話回線１０に割り当てられている複数の電話番号のいずれか特定電話番号への着信について自動応答した後、発側電話装置から通話路を介してＰＢ信号（ＤＴＭＦ／Dual Tone Multi Frequency）で通知された内線番号の内線電話端末を呼び出す機能を有している。
【００１８】
本実施の形態は、発側となる電話装置１から電話網５を介して着側となるボタン電話装置２の自動交換機能を利用する際、電話装置１において、記憶部に第１の電話番号と第２の電話番号とを予め記憶しておき、発信手段により第１の電話番号に対して電話回線１０から発信を行った後、発信から所定の待機期間が経過するまでの間に応答手段により応答通知が検出された場合は相手電話装置との通話路を確立した後、ＰＢ信号送出手段により当該通話路に第２の電話番号をＰＢ信号で送出し、発信から所定の待機期間が経過するまでの間に応答手段により応答通知が検出されなかった場合は、ＰＢ信号送出手段による第２のＰＢ信号送出を中止するようにしたものである。
【００１９】
次に、図１を参照して、本発明の第１の実施の形態にかかる電話装置の構成について詳細に説明する。なお、本実施の形態において、電話網５と電話回線１０がそれぞれＩＰ電話網とＩＰ電話回線からなり、電話装置１がＩＰ電話端末である場合を例として説明する。
【００２０】
電話装置１には、主な機能部として、回線インターフェース部（以下、回線Ｉ／Ｆ部という）１１、音声処理部１２、ＰＢ信号送出部１３、操作検出部１４、表示部１５、記憶部１６、および制御部１７が設けられている。
【００２１】
回線Ｉ／Ｆ部１１は、専用の通信回路からなり、電話回線１０を介して電話網５とデータ通信を行うことにより、呼制御用の各種メッセージや音声データを送受信する機能を有している。
音声処理部１２は、専用の音声処理回路からなり、制御部１７からの指示に基づいて、回線Ｉ／Ｆ部１１で受信された音声データを音声信号に復号してスピーカ（図示せず）から出力する機能、マイク（図示せず）から入力された音声信号を音声データに符号化して回線Ｉ／Ｆ部１１へ出力する機能、および着信音などの各種音声信号をスピーカから出力する機能を有している。
【００２２】
ＰＢ信号送出部１３は、専用の信号発生回路からなり、制御部１７から指示された任意の電話番号に応じたＰＢ信号（ＤＴＭＦ／Dual Tone Multi Frequency）を生成する機能と、このＰＢ信号を音声処理部１２を介して電話回線１０の通話路へ出力する機能とを有している。このＰＢ信号送出部１３は、音声処理部１２の音声処理回路と一体として構成してもよい。
操作検出部１４は、ダイヤルキー、機能キー、あるいはフックスイッチからなり、利用者の操作を検出して制御部１７へ出力する機能を有している。
表示部１５は、ＬＣＤやＬＥＤなどの表示装置からなり、制御部１７からの指示に応じて着信や発信など、電話回線１０や電話装置１に関する各種状態を表示する機能を有している。
【００２３】
記憶部１６は、メモリ回路からなり、制御部１７での処理に用いる各種制御情報やプログラム１６Ｐを記憶する機能を有している。プログラム１６Ｐは、外部装置や記録媒体から予め読み込まれて記憶部１６に格納されており、電話装置１の動作時には、制御部１７に読み出されて実行されることにより各種機能手段を実現する。
【００２４】
記憶部１６で記憶する主な制御情報として、呼制御情報１６Ａとダイヤル情報１６Ｂがある。
呼制御情報１６Ａは、電話回線１０や電話装置１の各種状態を示す情報である。
ダイヤル情報１６Ｂは、任意のダイヤルデータからなり、予め各相手先のダイヤルデータがダイヤル情報１６Ｂとして登録されている。このダイヤル情報１６Ｂは、発信時に簡単な操作で着側電話番号を指定する、ワンタッチダイヤル機能、短縮ダイヤル機能、電話帳機能などのメモリダイヤル機能で利用される。
【００２５】
ダイヤル情報１６Ｂは、電話装置１から着側電話装置の自動交換機能を利用する場合にも用いることができる。図２は、自動交換機能を利用する場合のダイヤル情報の登録例である。この例では、ダイヤル情報１６Ｂのうち、「０４２７７２ＸＸＸＸ」が自動交換用電話番号６Ａに相当し、「＊」が応答確認データ６Ｂに相当し、「２０」が呼び出したい相手電話装置の内線番号６Ｃに相当する。応答確認データ６Ｂは、着側電話装置の自動交換機能により自動応答がなされたことを電話網５からの応答通知により確認するタイミングを指定するものである。この例では、自動交換用電話番号６Ａを送出してから内線番号６Ｃを送出する前に確認する必要があるため、自動交換用電話番号６Ａと内線番号６Ｃとの間に配置されている。
【００２６】
制御部１７は、コンピュータとしてＣＰＵなどのマイクロプロセッサとその周辺回路を有し、記憶部１６からプログラム１６Ｐを読み込んで実行することにより、上記ハードウェアとプログラム１６Ｐとを協働させることより、各種機能手段を実現する機能を有している。
制御部１７で実現される主な機能手段としては、発信手段１７Ａ、応答手段１７Ｂ、自動応答制御手段１７Ｃ、および計時手段１７Ｄがある。
【００２７】
発信手段１７Ａは、操作検出部１４で検出された発信操作に応じて回線Ｉ／Ｆ部１１
制御することにより、任意の電話番号に対して電話回線１０から発信を行う機能と、発信操作がメモリダイヤル発信操作の場合、記憶部１６のダイヤル情報１６Ｂから読み出した電話番号に対して電話回線１０から発信を行う機能と、当該ダイヤル情報１６Ｂに応答確認記号６Ｂが含まれており、当該発信が自動交換用電話番号への発信である場合は、当該ダイヤル情報１６Ｂの自動交換用電話番号（第１の電話番号）６Ａに対して電話回線１０から発信を行う機能とを有している。
【００２８】
応答手段１７Ｂは、発信手段１７Ａによる発信後、電話網５から通知される応答メッセージを、回線Ｉ／Ｆ部１１を介して当該電話回線１０から検出する機能と、応答メッセージの検出に応じて、電話網５および電話回線１０を介して相手電話装置との通話路を確立する機能とを有している。
【００２９】
自動応答制御手段１７Ｃは、発信手段１７Ａによる発信が自動交換用電話番号への発信である場合、その発信から所定の待機期間が経過するまでの間に応答手段１７Ｂにより応答通知が検出された場合は、ＰＢ信号送出部１３を制御して、当該ダイヤル情報１６Ｂの内線番号６ＣをＰＢ信号で電話回線１０の当該通話路へ送出する機能と、待機期間が経過するまでの間に応答通知が検出されなかった場合は、ＰＢ信号送出部１３による第２の電話番号のＰＢ信号送出を中止する機能とを有している。
【００３０】
計時手段１７Ｄは、制御部１７のマイクロプロセッサが有するタイマ機能を利用して任意の期間を計時する機能と、自動応答制御手段１７Ｃからの指示に応じて発信手段１７Ａによる自動交換用電話番号への発信直後から所定の待機期間の計時を開始する機能とを有している。
【００３１】
［第１の実施の形態の動作］
次に、図３を参照して、本発明の第１の実施の形態にかかる電話装置の動作について説明する。図３は、本発明の第１の実施の形態にかかる電話装置におけるメモリダイヤル発信処理を示すフローチャートである。
ここでは、記憶部１６のダイヤル情報１６Ｂとして、図２に示したようなボタン電話装置２の自動交換用電話番号６Ａ、応答確認記号６Ｂ、および内線番号６Ｃが登録されており、このダイヤル情報１６Ｂがメモリダイヤル発信操作で相手電話番号として指定された場合を例として説明する。
【００３２】
電話装置１の制御部１７は、操作検出部１４により、例えばワンタッチダイヤルキーや端出ダイヤルキーなどの機能キーを用いたメモリダイヤル発信操作を検出した場合、図３のメモリダイヤル発信処理を開始する。
まず、制御部１７は、発信手段１７Ａにより、メモリダイヤル発信操作で指定されたダイヤル情報１６Ｂを記憶部１６から読み出す（ステップ１００）。
【００３３】
ここで、発信手段１７Ａは、ダイヤル情報１６Ｂに応答確認記号６Ｂが含まれていることから（ステップ１０１：ＹＥＳ）、当該発信が自動交換用電話番号への発信であると判断し、ダイヤル情報１６Ｂの先頭桁から応答確認記号６Ｂの直前桁までのダイヤルデータを自動交換用電話番号６Ａとして取得し（ステップ１０２）、この自動交換用電話番号６Ａを含む発信要求メッセージを回線Ｉ／Ｆ部１１を介して電話網５へ送信することにより、自動交換用電話番号６Ａに対して電話回線１０から発信を行う（ステップ１０３）。
【００３４】
なお、ダイヤル情報１６Ｂに応答確認記号６Ｂが含まれていない場合（ステップ１０１：ＮＯ）、一般的なメモリダイヤル発信処理となる。この場合、制御部１７は、発信手段１７Ａにより、例えばダイヤル情報１６Ｂ全体の電話番号に対して電話回線１０から通常の発信動作を行った後（ステップ１２０）、一連のメモリダイヤル発信処理を終了する。
【００３５】
ステップ１０３の後、制御部１７は、自動応答制御手段１７Ｃにより、所定の待機期間でタイムアップする待機タイマを起動した後（ステップ１０４）、発信手段１７Ａで発信を行った電話回線１０からの応答通知を検出するための応答通知検出ループへ移行する（ステップ１０５，１０６）。
この応答通知検出ループでは、待機タイマがタイムアウトするまで、あるいは応答手段１７Ｂにより上記電話回線１０からの応答検出が確認されるまで、当該メモリダイヤル発信処理は待機状態となる。
【００３６】
この応答通知検出ループにおいて、待機タイマがタイムアウトする前に、電話網５から通知された応答メッセージが回線Ｉ／Ｆ部１１で受信されて、応答手段１７Ｂにより応答通知が検出された場合（ステップ１０６：ＹＥＳ）、応答手段１７Ｂは、電話網５を介したボタン電話装置２との通話路を電話回線１０上に確立する（ステップ１０７）。
【００３７】
これに応じて、自動応答制御手段１７Ｃは、発信から所定の待機期間が経過するまでの間に応答通知が検出されたことから、計時手段１７Ｄを制御して待機タイマを停止する（ステップ１０８）。
また、自動応答制御手段１７Ｃは、ダイヤル情報１６Ｂから内線番号６Ｃ（第２の電話番号）を取得し（ステップ１０９）、ＰＢ信号送出部１３により、この内線番号６ＣをＰＢ信号で、応答手段１７Ｂにより確立されたボタン電話装置２との通話路へ送出し（ステップ１１０）、一連のメモリダイヤル発信処理を終了する。
【００３８】
また、応答通知検出ループにおいて、応答手段１７Ｂにより応答検出が確認される前に、待機タイマがタイムアウトした場合（ステップ１０５：ＹＥＳ）、自動応答制御手段１７Ｃは、待機期間が経過するまでの間に応答通知が検出されなかったことから、ＰＢ信号送出部１３による第２の電話番号のＰＢ信号送出を中止し、一連のメモリダイヤル発信処理を終了する。
【００３９】
これにより、発信から所定の待機期間が経過するまでの間に応答通知が検出された場合は、内線番号（第２の電話番号）がＰＢ信号でボタン電話装置２との通話路へ送出され、待機期間が経過するまでの間に応答通知が検出されなかった場合は、内線番号のＰＢ信号送出が中止される。
【００４０】
［第１の実施の形態の動作例］
次に、図４および図５を参照して、本発明の第１の実施の形態にかかる電話装置の動作例について説明する。図４は、本発明の第１の実施の形態にかかる電話装置のメモリダイヤル発信動作（ＰＢ信号送出）例を示すシーケンス図である。図５は、本発明の第１の実施の形態にかかる電話装置のメモリダイヤル発信動作（ＰＢ信号送出中止）例を示すシーケンス図である。
【００４１】
まず、図４を参照して、メモリダイヤル発信動作においてＰＢ信号を送出できる場合について説明する。
ここでは、記憶部１６のダイヤル情報１６Ｂとして、図２に示したようなボタン電話装置２の自動交換用電話番号６Ａ、応答確認記号６Ｂ、および内線番号６Ｃが登録されており、このダイヤル情報１６Ｂがメモリダイヤル発信操作で相手電話番号として指定された場合を例として説明する。
【００４２】
電話装置１は、メモリダイヤル発信操作を検出した場合（ステップ２００）、記憶部１６からこの操作で指定されたダイヤル情報１６Ｂを読み出す（ステップ２０１）。ここで、このダイヤル情報１６Ｂに応答確認記号６Ｂが含まれていることから、電話装置１は、ダイヤル情報１６Ｂの自動交換用電話番号６Ａを用いた発信要求メッセージを電話網５へ通知し（ステップ２０２）、所定の待機期間を計時する待機タイマを起動する（ステップ２０３）。
【００４３】
電話網５は、電話装置１からの発信要求メッセージに応じて、このメッセージに含まれる自動交換用電話番号６Ａを着信先とする着信通知をボタン電話装置２へ送信する（ステップ２０４）。
ボタン電話装置２の主装置２１は、電話回線２０を介して電話網５からの着信通知を受信し、その着信先である自動交換用電話番号６Ａが自動交換用として予め登録されていることから、当該着信に対して自動応答すべきと判断し（ステップ２１０）、応答通知を電話網５へ返送する（ステップ２１１）。
【００４４】
電話網５は、ボタン電話装置２からの応答通知に応じて、着信先が応答したことを応答通知メッセージにより発信元の電話装置１へ通知する（ステップ２１２）。
この際、電話装置１からの自動交換用電話番号６Ａへの発信が正常に自動応答された場合、電話装置１の待機タイマがタイムアップする前に電話網５からの応答通知が通知される。このため、電話装置１は、その応答通知に応じてボタン電話装置２との通話路を確立するとともに（ステップ２１３）、待機タイマを停止した後（ステップ２１４）、ダイヤル情報１６Ｂの内線番号６ＣをＰＢ信号で当該通話路へ送出する（ステップ２１５）
【００４５】
ボタン電話装置２の主装置２１は、上記応答通知を送信した後（ステップ２１１）、電話装置１との通話路を確立して（ステップ２１３）、その通話路を介して電話装置１から受信したＰＢ信号から内線番号６Ｃを取得し（ステップ２１６）、その内線番号６Ｃに対応する内線電話端末２２の呼び出しを行う（ステップ２１７）。
これにより、内線電話端末２２で着信表示が行われ（ステップ２１８）、これ対する応答操作に応じて内線電話端末２２から通知された応答に基づき（ステップ２２０）、主装置２１が当該内線電話端末２２と電話装置１との通話路を接続する（ステップ２２１）。これにより、電話網５を介して内線電話端末２２と電話装置１との間で通話が開始される（ステップ２２２）。
【００４６】
次に、図５を参照して、メモリダイヤル発信動作においてＰＢ信号を送出できない場合について説明する。
ここでは、図４と同様に、記憶部１６のダイヤル情報１６Ｂとして、図２に示したようなボタン電話装置２の自動交換用電話番号６Ａ、応答確認記号６Ｂ、および内線番号６Ｃが登録されており、このダイヤル情報１６Ｂがメモリダイヤル発信操作で相手電話番号として指定された場合を例として説明する。
【００４７】
電話装置１は、メモリダイヤル発信操作を検出した場合（ステップ２００）、記憶部１６からこの操作で指定されたダイヤル情報１６Ｂを読み出す（ステップ２０１）。ここで、このダイヤル情報１６Ｂに応答確認記号６Ｂが含まれていることから、電話装置１は、ダイヤル情報１６Ｂの自動交換用電話番号６Ａを用いた発信要求メッセージを電話網５へ通知し（ステップ２０２）、所定の待機期間を計時する待機タイマを起動する（ステップ２０３）。
【００４８】
電話網５は、電話装置１からの発信要求メッセージに応じて、このメッセージに含まれる自動交換用電話番号６Ａを着信先とする着信通知をボタン電話装置２へ送信する（ステップ２０４）。
ボタン電話装置２の主装置２１は、電話回線２０を介して電話網５からの着信通知を受信し、その着信先である自動交換用電話番号６Ａが自動交換用として使用しなくなっていることから、当該着信に対して自動応答ではなく、一般の着信と同様に着信呼出を行うべきと判断し（ステップ２３０）、対応する内線電話端末２２の呼び出しを行う（ステップ２３１）。これにより、内線電話端末２２で着信表示が行われる（ステップ２３２）。
【００４９】
一方、電話装置１は、電話網５からの応答通知が検出されず、発信から所定の待機期間が経過して待機タイマがタイムアウトした場合（ステップ２４０）、ＰＢ信号によるダイヤル情報１６Ｂの内線番号６Ｃの送出を中止する（ステップ２４１）。
【００５０】
その後、応答操作に応じて任意の内線電話端末２２から通知された応答に基づき（ステップ２５０）、主装置２１は応答通知を電話網５へ返送し（ステップ２５１）、電話網５は、電話装置１に対して応答通知メッセージを送信する（ステップ２５２）。
電話装置１は、この応答通知に応じて、ボタン電話装置２と電話装置１との通話路を確立する（ステップ２５４）。これにより、電話網５を介して内線電話端末２２と電話装置１との間で通話が開始される（ステップ２５５）。
【００５１】
このように、本実施の形態は、発側となる電話装置１から電話網５を介して着側となるボタン電話装置２の自動交換機能を利用する際、電話装置１において、記憶部１６に自動交換用電話番号６Ａ（第１の電話番号）と内線番号６Ｃ（第２の電話番号）とを予め記憶しておき、発信手段１７Ａにより自動交換用電話番号６Ａに対して電話回線１０から発信を行い、この発信から所定の待機期間が経過するまでの間に応答手段１７Ｂにより応答通知が検出された場合は、ボタン電話装置２との通話路を確立した後、ＰＢ信号送出部１３により当該通話路に内線番号６ＣをＰＢ信号で送出し、発信から所定の待機期間が経過するまでの間に応答手段１７Ｂにより応答通知が検出されなかった場合は、ＰＢ信号送出部１３による内線番号６ＣのＰＢ信号送出を中止するようにしたものである。
【００５２】
これにより、発信から所定の待機期間が経過するまでの間に応答通知が検出された場合は、内線番号（第２の電話番号）６ＣがＰＢ信号でボタン電話装置２との通話路へ送出され、待機期間が経過するまでの間に応答通知が検出されなかった場合は、内線番号６ＣのＰＢ信号送出が中止される。
【００５３】
したがって、発側電話装置から、メモリダイヤル機能を用い、自動交換機能の利用を前提とした自動交換用の一連のダイヤル送出して発信したにもかかわらず、その着信を着側ボタン電話装置が通常着信と判断して電話端末を呼び出した場合には、その着信に電話端末で応答した相手利用者に対して内線番号を示すＰＢ信号送出が中止されるため、利用者に対して不快感を与えることなく、スムーズに相手利用者との通話へ移行することができる。
【００５４】
［第２の実施の形態］
次に、本発明の第２の実施の形態にかかる電話装置について説明する。
第１の実施の形態では、発信から所定の待機期間が経過するまでの間に応答通知が検出されなかった場合は、内線番号６Ｃ（第２の電話番号）のＰＢ信号送出を中止する場合について説明した。本実施の形態では、内線番号６ＣのＰＢ信号送出を中止した場合、表示部１５により当該中止を示す情報を表示する場合について説明する。なお、本実施の形態にかかる電話装置１の構成は、前述した第１の実施の形態（図１参照）と同様であり、ここでの詳細な説明は省略する。
【００５５】
図６は、ＰＢ信号送出中止を示す警報表示例である。この場合、表示部１５として、ＬＣＤなどの画面表示を用いており、「相手自動応答を確認できません．内線番号の送出を中止しました．」という文字メッセージが表示される。このような表示は、図３のステップ１０４において、待機タイマがタイムアウトした場合（ステップ１０４：ＹＥＳ）に表示部１５で表示した後、一連のメモリダイヤル発信処理を終了すればよい。なお、文字メッセージの内容については要旨を逸脱しない範囲で任意に変更可能である。
【００５６】
ＰＢ信号送出中止を示す警報表示については、文字メッセージに限定されるものではなく、表示部１５としてＬＥＤを用いている場合には、例えば当該電話回線の回線ランプに対応するＬＥＤを点滅駆動するなど、所定の警報表示を行えばよい。
また、このような可視表示ではなく、警報音や音声メッセージによる可聴表示を用いてＰＢ信号送出中止を示す警報表示を行ってもよい。
【００５７】
このように、本実施の形態は、内線番号６ＣのＰＢ信号送出を中止した場合、表示部１５により当該中止を示す情報を表示するようにしたので、発信者が当該メモリダイヤルの登録内容と相手電話装置の自動応答機能の設定が一致していないことを、当該通話の開始時に認識することができる。これにより、当該通話において、相手応答者との間で自動応答機能の不具合について問い合わせを行って、その不具合を早期に解決することができる。
【００５８】
［実施の形態の拡張］
以上の各実施の形態では、電話網５および電話回線１０がＩＰ電話網およびＩＰ電話回線からなり、電話装置１がＩＰ電話端末である場合を例として説明したが、これに限定されるものではなく、電話装置１から発信した際、相手電話装置の応答（自動応答）に応じて電話網５から電話回線１０を介して電話装置１に応答通知が送信される構成であれば、本発明の各実施の形態を適用でき、前述と同様の作用効果が得られる。
【００５９】
また、各実施の形態では、応答通知がメッセージというデータ伝送で通知される場合を例として説明したが、例えばＰＳＴＮ（Public Switched Telephone Networks：公衆電話交換網）回線で電圧極性の反転を利用した転極信号など、電気信号を用いて通知される場合でも、当該電気信号を検出する公知の回路構成を利用すればよく、本発明の各実施の形態を適用でき、前述と同様の作用効果が得られる。
【００６０】
また、各実施の形態では、電話装置１が単独電話機である場合を例として説明したが、これに限定されるものではなく、例えばボタン電話装置の主装置や構内交換機、あるいは携帯端末など、他の形態の電話装置にも同様に適用することができ、前述と同様の作用効果が得られる。
【図面の簡単な説明】
【００６１】
【図１】本発明の第１の実施の形態にかかる電話装置の構成を示すブロック図である。
【図２】自動交換機能を利用する場合のダイヤル情報の登録例である。
【図３】本発明の第１の実施の形態にかかる電話装置におけるメモリダイヤル発信処理を示すフローチャートである。
【図４】本発明の第１の実施の形態にかかる電話装置のメモリダイヤル発信動作（ＰＢ信号送出）例を示すシーケンス図である。
【図５】本発明の第１の実施の形態にかかる電話装置のメモリダイヤル発信動作（ＰＢ信号送出中止）例を示すシーケンス図である。
【図６】ＰＢ信号送出中止を示す警報表示例である。
【符号の説明】
【００６２】
１…電話装置、１０…電話回線、１１…回線Ｉ／Ｆ部、１２…通話処理部、１３…ＰＢ信号送出部、１４…操作検出部、１５…表示部、１６…記憶部、１６Ａ…呼制御情報、１６Ｂ…ダイヤル情報、１６Ｐ…プログラム、１７…制御部、１７Ａ…発信手段、１７Ｂ…応答手段、１７Ｃ…自動応答制御手段、１７Ｄ…計時手段、２…ボタン電話装置、２０…電話回線、２１…主装置、２２…内線電話端末、２３…内線回線、５…電話網。
【図１】
2008054000.tif 000003
【図２】
2008054000.tif 000004
【図３】
2008054000.tif 000005
【図４】
2008054000.tif 000006
【図５】
2008054000.tif 000007
【図６】
2008054000.tif 000008